(57)【要約】【課題】携帯電話機等に搭載されるズームレンズの光学性能を高めつつ小型化を図る。【解決手段】物体側から順に、負の屈折力を有し固定された第１レンズ群Ｉ、負の屈折力を有し広角端から望遠端への移動に際し一端像面側に移動した後に物体側に移動する第２レンズ群ＩＩ、正の屈折力を有し広角端から望遠端への移動に際し物体側に直線的に移動する第３レンズ群ＩＩＩ、正の屈折力を有し広角端から望遠端への移動に際し一端像面側に移動した後に物体側に移動する第４レンズ群ＩＶを備え、第１レンズ群Ｉは、光路を直角に屈曲させると共に物体側の面Ｓ１が凹状の球面に形成されたプリズム１からなり、第１レンズ群Ｉの焦点距離ｆ１Ｇ、広角端におけるレンズ系の焦点距離ｆｗが、│ｆ１Ｇ│／ｆｗ＞５．５を満足する。これにより、薄型化されて、高画素の撮像素子に対応し得る光学性能の高い小型のズームレンズが得られる。【選択図】図１
2007079326.tif 000002
【特許請求の範囲】
【請求項１】
物体側から像面側に向けて順に配列された、負の屈折力を有し固定された第１レンズ群、負の屈折力を有し広角端から望遠端への移動に際し一端像面側に移動した後に物体側に移動する第２レンズ群、正の屈折力を有し広角端から望遠端への移動に際し物体側に直線的に移動する第３レンズ群、正の屈折力を有し広角端から望遠端への移動に際し一端像面側に移動した後に物体側に移動する第４レンズ群を備え、
前記第１レンズ群は、光路を直角に屈曲させると共に物体側の面が凹状の球面に形成されたプリズムからなり、
前記第１レンズ群の焦点距離をｆ１Ｇ、広角端におけるレンズ系（前記第１レンズ群の最前面〜像面）の焦点距離をｆｗとするとき、下記条件式（１）を満足することを特徴とするズームレンズ。
（１）│ｆ１Ｇ│／ｆｗ＞５．５
【請求項２】
広角端における前記第２レンズ群と第３レンズ群の光軸上の間隔をＤｗ２−３、広角端における前記第３レンズ群と第４レンズ群の光軸上の間隔をＤｗ３−４、望遠端における前記第２レンズ群と第３レンズ群の光軸上の間隔をＤｔ２−３、望遠端における前記第３レンズ群と第４レンズ群の光軸上の間隔をＤｔ３−４とするとき、下記条件式（２），（３）を満足することを特徴とする請求項１記載のズームレンズ。
（２）２．０＜Ｄｗ２−３／Ｄｗ３−４＜４．０
（３）Ｄｔ２−３／Ｄｔ３−４＜０．２
【請求項３】
前記第２レンズ群の焦点距離をｆ２Ｇ、前記第３レンズ群の焦点距離をｆ３Ｇ、前記第４レンズ群の焦点距離をｆ４Ｇとするとき、下記条件式（４），（５），（６）を満足することを特徴とする請求項１又は２に記載のズームレンズ。
（４）２．０＜│ｆ２Ｇ│／ｆｗ＜１０．０
（５）０．９＜│ｆ３Ｇ│／ｆｗ＜１．５
（６）１．５＜│ｆ４Ｇ│／ｆｗ＜２．０
【請求項４】
広角端におけるレンズ系全長（前記第１レンズ群の最前面〜像面、但し前記第４レンズ群〜像面は空気換算距離とする）をＤｗとするとき、下記条件式（７）を満足することを特徴とする請求項１ないし３いずれかに記載のズームレンズ。
（７）３．０＜Ｄｗ／ｆｗ＜５．０
【請求項５】
前記第２レンズ群は、物体側及び像面側の凹面を向けた両凹形状の第２レンズ、物体側に凸面を向けたメニスカス形状の第３レンズからなり、
前記第３レンズ群は、物体側及び像面側に凸面を向けた両凸形状の第４レンズ、物体側に凸面を向けたメニスカス形状の第５レンズ、物体側に凸面を向けたメニスカス形状の第６レンズからなり、
前記第４レンズ群は、物体側に凹面を向けたメニスカス形状の第７レンズからなる、
ことを特徴とする請求項１ないし４いずれかに記載のズームレンズ。
【請求項６】
前記第４レンズ及び第６レンズは、物体側及び像面側の両面が非球面に形成されている、
ことを特徴とする請求項５記載のズームレンズ。
【請求項７】
前記第２レンズ及び第７レンズは、物体側及び像面側の少なくとも一方の面が非球面に形成されている、
ことを特徴とする請求項５又は６に記載のズームレンズ。
【請求項８】
前記第２レンズのアッベ数をν２、前記第３レンズのアッベ数をν３、前記第４レンズのアッベ数をν４、前記第５レンズのアッベ数をν５とするとき、下記条件式（８），（９）を満足することを特徴とする請求項５ないし７いずれかに記載のズームレンズ。
（８）ν２−ν３＞１５
（９）ν４−ν５＞２０
【請求項９】
前記第６レンズ及び第７レンズは、プラスチック材料により形成されている、
ことを特徴とする請求項５ないし８いずれかに記載のズームレンズ。
【発明の詳細な説明】
【技術分野】
【０００１】
本発明は、ＣＣＤ等の固体撮像素子を用いたデジタルカメラ等に使用される小型のズームレンズに関し、特に、携帯電話機、携帯情報端末機（ＰＤＡ）、ＰＣカメラ（パーソナルコンピュータに付属の又は接続して使用されるカメラ）等のモバイル機器に適した小型のズームレンズに関する。
【背景技術】
【０００２】
近年、携帯電話機等の市場においては、デジタルカメラを搭載したものが主流になり、高画素化に対応でき、小型かつ低コストであると同時に付加価値を要求されるレンズとしては、単焦点レンズよりも変倍撮影が可能なズームレンズが望まれている。
一般に、ズームレンズは複数のレンズを相対的に移動させて撮影範囲を変化させるものであるため、レンズを配置するスペースとは別にレンズが移動できるスペースを確保しなければならない。したがって、所望の変倍比を確保しつつ小型化を図るには、レンズの枚数を減らす必要があるが、単にレンズの枚数を減らして小型化を図ろうとすると、諸収差の補正が困難になる。
【０００３】
従来のズームレンズとしては、第１レンズ群を正の屈折力を有する一つのレンズ、第２レンズ群を正の屈折力を有する一つのレンズ、第３レンズ群を正の屈折力を有する一つのレンズにより形成した３群３枚のレンズ構成を採用したものが知られている（例えば、特許文献１参照）。
しかしながら、このズームレンズでは、３群３枚レンズ構成であるため小型化を図ることはできるものの、広角端〜望遠端の全域で収差、特に色収差の補正が困難であり、高画素の撮像素子に対応させるのは困難であった。
【０００４】
また、従来の他のズームレンズとしては、最も物体側において、光路を直角に屈曲させるプリズムを採用し、レンズ系の奥行き方向の寸法を短くして薄型化を図ったものが知られている（例えば、特許文献２参照）。
しかしながら、このズームレンズでは、プリズムの物体側（被写体側）の面に非球面を採用しているため、加工が難しく現実的でない。
【０００５】
【特許文献１】特開２００３−１７７３１４号公報
【特許文献２】特開２００４−９３６４９号公報
【発明の開示】
【発明が解決しようとする課題】
【０００６】
本発明は、上記の事情に鑑みて成されたものであり、その目的とするところは、奥行き寸法を短くして薄型化を図ると共に、２．５倍程度の変倍比を確保し、高画素の撮像素子に対応し得るべく高い光学性能を確保し、携帯電話機、携帯情報端末機、携帯型パーソナルコンピュータ等のモバイル機器に適した、小型のズームレンズを提供することにある。
【課題を解決するための手段】
【０００７】
本発明のズームレンズは、物体側から像面側に向けて順に配列された、負の屈折力を有し固定された第１レンズ群、負の屈折力を有し広角端から望遠端への移動に際し一端像面側に移動した後に物体側に移動する第２レンズ群、正の屈折力を有し広角端から望遠端への移動に際し物体側に直線的に移動する第３レンズ群、正の屈折力を有し広角端から望遠端への移動に際し一端像面側に移動した後に物体側に移動する第４レンズ群を備え、第１レンズ群は、光路を直角に屈曲させると共に物体側の面が凹状の球面に形成されたプリズムからなり、第１レンズ群の焦点距離をｆ１Ｇ、広角端におけるレンズ系（第１レンズ群の最前面〜像面）の焦点距離をｆｗとするとき、下記条件式（１）、
（１）│ｆ１Ｇ│／ｆｗ＞５．５
を満足する、ことを特徴としている。
この構成によれば、ズーミングに際し、第１レンズ群が固定した状態で、第２レンズ群が像面側に凸となる軌跡を描きつつ移動直線的に移動し（広角端から望遠端へ移動するとき、一端像面側に移動した後に物体側に移動し）、第３レンズ群が物体側に向けて直線的に移動し（広角端から望遠端へ移動するとき、物体側に向けて直線的に移動し）、第４レンズ群が像面側に凸となる軌跡を描きつつ移動する（広角端から望遠端へ移動するとき、一端像面側に移動した後に物体側に移動する）。ここで、第１レンズ群として物体側の面に凹状の球面をもつプリズムを採用すると共に条件式（１）を満たすことにより、奥行き寸法を短くして薄型化を達成すると共に、２．５倍程度の変倍比を確保でき、諸収差が良好に補正されて高画素の撮像素子に対応する光学性能の高い小型のズームレンズが得られる。
【０００８】
上記構成において、広角端における第２レンズ群と第３レンズ群の光軸上の間隔をＤｗ２−３、広角端における第３レンズ群と第４レンズ群の光軸上の間隔をＤｗ３−４、望遠端における第２レンズ群と第３レンズ群の光軸上の間隔をＤｔ２−３、望遠端における第３レンズ群と第４レンズ群の光軸上の間隔をＤｔ３−４とするとき、下記条件式（２），（３）、
（２）２．０＜Ｄｗ２−３／Ｄｗ３−４＜４．０
（３）Ｄｔ２−３／Ｄｔ３−４＜０．２
を満足する、構成を採用することができる。
この構成によれば、条件式（２），（３）を満たすことにより、レンズ系全長を短くしつつ、ズーミングに必要なレンズの移動スペースを確保でき、又、球面収差、非点収差、歪曲収差、倍率色収差等の諸収差を良好に補正でき、光学性能の高いズームレンズを得ることができる。
【０００９】
上記構成において、第２レンズ群の焦点距離をｆ２Ｇ、第３レンズ群の焦点距離をｆ３Ｇ、第４レンズ群の焦点距離をｆ４Ｇとするとき、下記条件式（４），（５），（６）、
（４）２．０＜│ｆ２Ｇ│／ｆｗ＜１０．０
（５）０．９＜│ｆ３Ｇ│／ｆｗ＜１．５
（６）１．５＜│ｆ４Ｇ│／ｆｗ＜２．０
を満足する、構成を採用することができる。
この構成によれば、条件式（４），（５），（６）を満たすことにより、各レンズ群のパワーを適切に配置して所望の変倍比を確保しつつ、光学長を短くして小型化を達成できると共に、諸収差、特に、広角側での歪曲収差及び非点収差、広角〜望遠の全域での球面収差及びコマ収差、望遠側での非点収差を良好に補正することができ、全体として諸収差が良好に補正された光学性能の高いズームレンズを得ることができる。
【００１０】
上記構成において、広角端におけるレンズ系全長（第１レンズ群の最前面〜像面、但し第４レンズ群〜像面は空気換算距離とする）をＤｗとするとき、下記条件式（７）、
（７）３．０＜Ｄｗ／ｆｗ＜５．０
を満足する、構成を採用することができる。
この構成によれば、広角端におけるレンズ系全長とレンズ系の焦点距離の関係が条件式（７）を満たすように設定することにより、２．５倍程度の適切な変倍比を確保しつつ、レンズ系全長（光学長）を短く設定することができる。
【００１１】
上記構成において、第２レンズ群は、物体側及び像面側の凹面を向けた両凹形状の第２レンズ、物体側に凸面を向けたメニスカス形状の第３レンズからなり、第３レンズ群は、物体側及び像面側に凸面を向けた両凸形状の第４レンズ、物体側に凸面を向けたメニスカス形状の第５レンズ、物体側に凸面を向けたメニスカス形状の第６レンズからなり、第４レンズ群は、物体側に凹面を向けたメニスカス形状の第７レンズからなる、構成を採用することができる。
この構成によれば、３群７枚のレンズ構成を採用することにより、小型化を達成しつつ、高画素の撮像素子に対応し得る高い光学性能をもつズームレンズを得ることができる。
【００１２】
上記構成において、第４レンズ及び第６レンズは、物体側及び像面側の両面が非球面に形成されている、構成を採用することができる。
この構成によれば、広角〜望遠の全域において、特に、球面収差、コマ収差を良好の補正することができ、光学性能の高いズームレンズを得ることができる。
【００１３】
上記構成において、第２レンズ及び第７レンズは、物体側及び像面側の少なくとも一方の面が非球面に形成されている、構成を採用することができる。
この構成によれば、第２レンズに非球面を採用することにより、広角側での歪曲収差及び非点収差を良好に補正することができ、第７レンズに非球面を採用することにより、望遠側での非点収差を良好に補正することができる。
【００１４】
上記構成において、第２レンズのアッベ数をν２、第３レンズのアッベ数をν３、第４レンズのアッベ数をν４、第５レンズのアッベ数をν５とするとき、下記条件式（８），（９）、
（８）ν２−ν３＞１５
（９）ν４−ν５＞２０
を満足する、構成を採用することができる。
この構成によれば、条件式（８），（９）を満たすことにより、広角〜望遠の全域において、色収差、特に、条件式（８）を満たすことにより軸上色収差を良好に補正することができ、条件式（９）を満たすことにより倍率色収差を良好に補正することができる。
【００１５】
上記構成において、第６レンズ及び第７レンズは、プラスチック材料により形成されている、構成を採用することができる。
この構成によれば、ガラス材料に比べて、コストを低減できると共に、難しい形状も容易に成型することができるため、設定し得る形状の自由度が増える。
【発明の効果】
【００１６】
上記構成をなすズームレンズによれば、奥行き寸法を短くして薄型化を達成でき、２．５倍程度の変倍比を確保でき、携帯電話機、携帯情報端末機、携帯型パーソナルコンピュータ等のモバイル機器に適した、高画素の撮像素子に対応し得るべく光学性能の高い小型のズームレンズを提供することができる。
【発明を実施するための最良の形態】
【００１７】
以下、本発明の最良の実施形態について、添付図面を参照しつつ説明する。
図１及び図２は、本発明に係るズームレンズの一実施形態を示すものであり、図１は概略構成図、図２は広角端、中間、望遠端における状態図である。
このズームレンズは、図１に示すように、物体側から像面側に向けて順に配列された、負の屈折力を有する第１レンズ群（Ｉ）、負の屈折力を有する第２レンズ群（ＩＩ）、正の屈折力を有する第３レンズ群（ＩＩＩ）、正の屈折力を有する第４レンズ群（ＩＶ）を備えている。
そして、広角端から望遠端へのズーミングに際しては、図２（ａ），（ｂ），（ｃ）に示すように、第１レンズ群（Ｉ）が所定位置に停止した（固定された）状態で、第２レンズ群（ＩＩ）が一端像面側に移動した後に物体側に移動するように（像面側に凸となる軌跡を描くように）移動し、第３レンズ群（ＩＩＩ）が像面側から物体側に向けて直線的に移動し、第４レンズ群（ＩＶ）が一端像面側に移動した後に物体側に移動するように（像面側に凸となる軌跡を描くように）移動する。
【００１８】
第１レンズ群（Ｉ）は、負の屈折力を有するプリズム１により形成され、第２レンズ群（ＩＩ）は、両凹形状の第２レンズ２及びメニスカス形状の第３レンズ３により形成され、第３レンズ群（ＩＩＩ）は、所定の口径をなす開口絞りＳＤ、両凸形状の第４レンズ、メニスカス形状の第５レンズ５、及びメニスカス形状の第６レンズ６により形成され、第４レンズ群（ＩＶ）は、メニスカス形状の第７レンズ７により形成されている。そして、第７レンズ７の後方にガラスフィルタ８が配置され、その後方に撮像素子の像面Ｐが配置されている。
【００１９】
ここでは、プリズム１、開口絞りＳＤ、第２レンズ２、第３レンズ３、第４レンズ４、第５レンズ５、第６レンズ６、第７レンズ、ガラスフィルタ８及び像面Ｐが、光軸Ｌに沿って物体側から像面側に向けて順に配列される構成において、図１に示すように、それぞれの面をＳｉ（ｉ＝１〜１７）、それぞれの面Ｓｉの曲率半径をＲｉ（ｉ＝１〜１７）、ｄ線に対する屈折率をＮｉ（ｉ＝１〜８）及びアッベ数をνｉ（ｉ＝１〜８）、プリズム１〜像面Ｐまでのレンズ系におけるそれぞれの光軸Ｌ上における間隔（厚さ、空気間隔）をＤｉ（ｉ＝１〜１７）で表す。
【００２０】
また、レンズ系（プリズム１の前面Ｓ１〜像面Ｐ）の広角端、中間、望遠端における焦点距離をｆｗ，ｆｍ，ｆｔ、第１レンズ群（Ｉ）〜第４レンズ群（ＩＶ）の焦点距離をそれぞれｆ１Ｇ，ｆ２Ｇ，ｆ３Ｇ，ｆ４Ｇ、広角端における第１レンズ群（Ｉ）と第２レンズ群（ＩＩ）の光軸Ｌ上の間隔をＤｗ２−３、広角端における第３レンズ群（ＩＩＩ）と第４レンズ群（ＩＶ）の光軸Ｌ上の間隔をＤｗ３−４、望遠端における第１レンズ群（Ｉ）と第２レンズ群（ＩＩ）の光軸Ｌ上の間隔をＤｔ２−３、望遠端における第３レンズ群（ＩＩＩ）と第４レンズ群（ＩＶ）の光軸Ｌ上の間隔をＤｔ３−４、広角端におけるレンズ系全長（プリズム１の前面Ｓ１〜像面Ｐ、但しガラスフィルタ８は空気換算距離とする）をＤｗで表す。
【００２１】
プリズム１は、ガラス材料又は樹脂材料により形成され、負の屈折力を有するように、物体側の面Ｓ１が凹状でかつ像面側の面Ｓ２が平坦に形成されており、光路（光軸Ｌ）を直角に屈曲させるようになっている。そして、物体側の面Ｓ１は、凹状の球面として形成されている。このように、プリズム１の物体側の面Ｓ１を球面とすることにより、加工が容易になる。
【００２２】
第２レンズ２は、ガラス材料又は樹脂材料により形成され、負の屈折力を有するように、物体側の面Ｓ３が凹状でかつ像面側の面Ｓ４が凹状をなす両凹形状のレンズである。
そして、好ましくは、面Ｓ３，Ｓ４の少なくとも一方が非球面に形成されている。このように、第２レンズ２に非球面を採用することにより、広角側での歪曲収差及び非点収差を良好に補正することができる。
【００２３】
第３レンズ３は、ガラス材料又は樹脂材料により形成され、正の屈折率を有するように、物体側の面Ｓ５が凸状でかつ像面側の面Ｓ６が凹状をなすメニスカス形状のレンズである。そして、両面Ｓ５，Ｓ６は球面に形成されている。
【００２４】
第４レンズ４は、ガラス材料又は樹脂材料により形成され、正の屈折力を有するように、物体側の面Ｓ８が凸状でかつ像面側の面Ｓ９が凸状をなす両凸形状のレンズである。そして、両面Ｓ８，Ｓ９は、好ましくは非球面に形成されている。このように、両面Ｓ８，Ｓ９に非球面を採用することにより、広角〜望遠の全域において、特に、球面収差、コマ収差を良好に補正することができる。
【００２５】
第５レンズ５は、ガラス材料又は樹脂材料により形成され、負の屈折率を有するように、物体側の面Ｓ１０が凸状でかつ像面側の面Ｓ１１が凹状をなすメニスカス形状のレンズである。そして、両面Ｓ１０，Ｓ１１は球面に形成されている。
【００２６】
第６レンズ６は、好ましくは樹脂材料（プラスチック材料）により形成され、負の屈折率を有するように、物体側の面Ｓ１２が凸状でかつ像面側の面Ｓ１３が凹状をなすメニスカス形状のレンズである。そして、両面Ｓ１２，Ｓ１３は、好ましくは非球面に形成されている。
このように、第６レンズ６がプラスチック材料により形成されることにより、コストを低減でき、難しい形状も容易に成型でき、設定し得る形状の自由度が増す。また、両面Ｓ１２，Ｓ１３に非球面を採用することにより、広角〜望遠の全域において、特に、球面収差、コマ収差を良好に補正することができる。
【００２７】
第７レンズ７は、好ましくは樹脂材料（プラスチック材料）により形成され、正の屈折率を有するように、物体側の面Ｓ１４が凹状でかつ像面側の面Ｓ１５が凸状をなすメニスカス形状のレンズである。そして、面Ｓ１４，Ｓ１５の少なくとも一方の面は、好ましくは非球面に形成されている。
このように、第７レンズ７がプラスチック材料により形成されることにより、コストを低減でき、難しい形状も容易に成型でき、設定し得る形状の自由度が増す。また、面Ｓ１４，Ｓ１５の一方に非球面を採用することにより、望遠側での非点収差を良好に補正することができる。
【００２８】
また、ここでは、第１レンズ群の焦点距離ｆ１Ｇ、広角端におけるレンズ系（第１レンズ群の最前面Ｓ１〜像面Ｐ）の焦点距離ｆｗが、条件式（１）、
（１）│ｆ１Ｇ│／ｆｗ＞５．５
を満足するように形成されている。
このように、プリズム１〜第７レンズ７からなる３群７枚構成を採用すると共に、第１レンズ群（Ｉ）にプリズム１を採用すると共にズーミングに際し固定とすることにより、第２レンズ群（ＩＩ）〜第４レンズ群（ＩＶ）を相対的に移動させることにより、奥行き寸法を短くして薄型化を達成でき、２．５倍程度の変倍比を確保でき、広角端でのＦ値が３．０程度と明るく、諸収差特に色収差等が良好に補正されて高画素の撮像素子に対応し得る高い光学性能を有し、携帯電話機等に搭載されても落下等の衝撃に耐え得るズームレンズが得られる。
【００２９】
ここで、第２レンズ２、第４レンズ４、第６レンズ６、及び第７レンズ７の非球面を表す式は、次式で規定される。
Ｚ＝Ｃｙ２／［１＋（１−εＣ２ｙ２）１／２］＋Ｄｙ４＋Ｅｙ６＋Ｆｙ８＋Ｇｙ１０
ただし、Ｚ：非球面の頂点における接平面から，光軸Ｌからの高さがｙの非球面上の点までの距離、ｙ：光軸からの高さ、Ｃ：非球面の頂点における曲率（１／Ｒ）、ε：円錐定数、Ｄ，Ｅ，Ｆ，Ｇ：非球面係数である。
【００３０】
上記構成においては、広角端における第２レンズ群（ＩＩ）と第３レンズ群（ＩＩＩ）の光軸Ｌ上の間隔Ｄｗ２−３、広角端における第３レンズ群（ＩＩＩ）と第４レンズ群（ＩＶ）の光軸Ｌ上の間隔Ｄｗ３−４、望遠端における第２レンズ群（ＩＩ）と第３レンズ群（ＩＩＩ）の光軸Ｌ上の間隔Ｄｔ２−３、望遠端における第３レンズ群（ＩＩＩ）と第４レンズ群（ＩＶ）の光軸Ｌ上の間隔Ｄｔ３−４が、好ましくは、条件式（２），（３）、
（２）２．０＜Ｄｗ２−３／Ｄｗ３−４＜４．０
（３）Ｄｔ２−３／Ｄｔ３−４＜０．２
を満足するように形成される。
【００３１】
条件式（２），（３）は、それぞれ広角端と望遠端における第２レンズ群（ＩＩ）〜第３レンズ群（ＩＩＩ）の間隔と第３レンズ群（ＩＩＩ）〜第４レンズ群（ＩＶ）の間隔を規定するものである。すなわち、条件式（２）の上限を上回るとレンズの移動スペースが広くなり過ぎ、適切な変倍比を確保した上で光学長を短くするのは困難であり、一方、条件式（２）の下限を下回るか、条件式（３）の上限を上回ると、レンズの移動スペースが狭くなり過ぎ、各レンズのパワーを大きくしなければならなくなる。
したがって、条件式（２），（３）を満たすことにより、レンズ系全長を短くしつつ、ズーミングに必要なレンズの移動スペースを確保でき、又、球面収差、非点収差、歪曲収差、倍率色収差等の諸収差を良好に補正でき、光学性能の高いズームレンズを得ることができる。
【００３２】
また、上記構成においては、第２レンズ群（ＩＩ）の焦点距離ｆ２Ｇ、第３レンズ群（ＩＩＩ）の焦点距離ｆ３Ｇ、第４レンズ群（ＩＶ）の焦点距離ｆ４Ｇが、好ましくは、下記条件式（４），（５），（６）、
（４）２．０＜│ｆ２Ｇ│／ｆｗ＜１０．０
（５）０．９＜│ｆ３Ｇ│／ｆｗ＜１．５
（６）１．５＜│ｆ４Ｇ│／ｆｗ＜２．０
を満足するように形成される。
【００３３】
条件式（４），（５），（６）は、広角端におけるレンズ系の焦点距離と、第２レンズ群（ＩＩ）〜第４レンズ群（ＩＶ）の焦点距離との関係を規定したものである。
すなわち、条件式（４），（５），（６）の上限を上回ると、第２レンズ群（ＩＩ）のパワー（焦点距離の逆数）が小さくなり過ぎ、移動スペースを広く取る必要があるため、適切な変倍比を確保した上で光学長を短くするのは困難である。
条件式（４）の下限を下回ると、第２レンズ群（ＩＩ）のパワーが大きくなり過ぎ、諸収差を補正するのが困難であり、特に、広角側での歪曲収差、非点収差の補正が困難になる。
条件式（５）の下限を下回ると、第３レンズ群（ＩＩＩ）のパワーが大きくなり過ぎ、諸収差を補正するのが困難であり、特に、広角〜望遠の全域での球面収差、コマ収差の補正が困難になる。
条件式（６）の下限を下回ると、第４レンズ群（ＩＶ）のパワーが大きくなり過ぎ、諸収差を補正するのが困難であり、特に、望遠側での非点収差の補正が困難になる。
したがって、条件式（４），（５），（６）を満たすことにより、各レンズ群のパワーを適切に配置して所望の変倍比を確保しつつ、光学長を短くして小型化を達成できると共に、諸収差、特に、広角側での歪曲収差及び非点収差、広角〜望遠の全域での球面収差及びコマ収差、望遠側での非点収差を良好に補正することができ、全体として諸収差が良好に補正された光学性能の高いズームレンズを得ることができる。
【００３４】
また、上記構成においては、広角端におけるレンズ系全長Ｄｗが、好ましくは、下記条件式（７）、
（７）３．０＜Ｄｗ／ｆｗ＜５．０
を満足するように形成される。
条件式（７）は、広角端におけるレンズ系全長とレンズ系の焦点距離の関係を規定するものである。すなわち、条件式（７）から逸脱すると、適切な変倍比を確保した上で、光学長を短くするのが困難になる。
したがって、条件式（７）を満たすように設定することにより、２．５倍程度の適切な変倍比を確保しつつ、レンズ系全長（光学長）を短く設定することができる。
【００３５】
また、上記構成においては、第２レンズ２のアッベ数ν２、第３レンズ３のアッベ数ν３、第４レンズ４アッベ数ν４、第５レンズ５のアッベ数ν５が、好ましくは、下記条件式（８），（９）、
（８）ν２−ν３＞１５
（９）ν４−ν５＞２０
を満足するように形成される。
条件式（８），（９）を下回ると、広角〜望遠の全域において、色収差の補正が困難になり、特に、条件式（８）を下回ると、広角〜望遠での軸上色収差の補正が困難になり、条件式（９）を下回ると、広角〜望遠での倍率色収差の補正が困難になる。
したがって、条件式（８），（９）を満たすことにより、広角〜望遠の全域において、色収差、特に、条件式（８）を満たすことにより軸上色収差を良好に補正することができ、条件式（９）を満たすことにより倍率色収差を良好に補正することができる。
次に、上記ズームレンズの具体的な数値による実施例を、実施例１、実施例２、実施例３として以下に示す。
【実施例１】
【００３６】
実施例１における条件式（１）〜（９）の数値データ、プリズム１〜第７レンズ７、ガラスフィルタ８の主な仕様諸元、種々の数値データ（設定値）は以下の通りである。
＜条件式の値＞
（１）│ｆ１Ｇ│／ｆｗ＝４９．６７／５．０６＝９．８２
（２）Ｄｗ２−３／Ｄｗ３−４＝５．９８／２．１０＝２．８５
（３）Ｄｔ２−３／Ｄｔ３−４＝０．６０／７．８９＝０．０７６
（４）│ｆ２Ｇ│／ｆｗ＝１５．８９／５．０６＝３．１４
（５）│ｆ３Ｇ│／ｆｗ＝５．９６／５．０６＝１．１８
（６）│ｆ４Ｇ│／ｆｗ＝８．３６／５．０６＝１．６５
（７）Ｄｗ／ｆｗ＝２５．２／５．０６＝４．９８
（８）ν２−ν３＝４０．９６−１８．９０＝２２．０６
（９）ν４−ν５＝５５．１３−１８．９０＝３６．２３
【００３７】
＜仕様諸元＞
物体距離＝∞（広角端）〜∞（中間）〜∞（望遠端）、レンズ系の焦点距離（ｆｗ，ｆｍ，ｆｔ）＝５．０６ｍｍ（広角端）〜８．３４ｍｍ（中間）〜１２．６９ｍｍ（望遠端）、変倍比＝２．５１、ＦＮｏ．＝３．０２（広角端）〜４．１４（中間）〜５．３８（望遠端）、画角（２ω）＝６２．２°（広角端）〜３７．５°（中間）〜２５．５°（望遠端）、射出瞳位置＝−１２．６５ｍｍ（広角端）〜−８１．９５ｍｍ（中間）〜３９．３５ｍｍ（望遠端）、レンズ全長＝２２．８０ｍｍ（広角端）〜２３．２８ｍｍ（中間）〜２３．２０ｍｍ（望遠端）、レンズ系全長（空気換算距離）＝２５．２０ｍｍ、バックフォーカス（空気換算距離）＝２．４０ｍｍ（広角端）〜１．９２ｍｍ（中間）〜２．００ｍｍ（望遠端）
【００３８】
＜非球面＞
第２レンズ２の両面Ｓ３，Ｓ４、第４レンズ４の両面Ｓ８，Ｓ９、第６レンズ６の両面Ｓ１２，Ｓ１３、第７レンズ７の面Ｓ１５
＜曲率半径＞
Ｒ１＝−２９．０００ｍｍ、Ｒ２＝∞、Ｒ３＝−３２．６６７ｍｍ（非球面）、Ｒ４＝１０．８２７ｍｍ（非球面）、Ｒ５＝６．０６３ｍｍ、Ｒ６＝７．６８８ｍｍ、Ｒ７＝∞（開口絞り）、Ｒ８＝３．１５０ｍｍ（非球面）、Ｒ９＝−７．６８８ｍｍ（非球面）、Ｒ１０＝３．６３９ｍｍ、Ｒ１１＝２．１５５ｍｍ、Ｒ１２＝５．５６９ｍｍ（非球面）、Ｒ１３＝２．４０７ｍｍ（非球面）、Ｒ１４＝−２５．４５８ｍｍ、Ｒ１５＝−３．８０９ｍｍ（非球面）、Ｒ１６＝∞、Ｒ１７＝∞
＜光軸上の間隔＞
Ｄ１＝７．７００ｍｍ、Ｄ２＝可変、Ｄ３＝０．６５０ｍｍ、Ｄ４＝０．２００ｍｍ、Ｄ５＝１．０００ｍｍ、Ｄ６＝可変、Ｄ７＝０．０００ｍｍ、Ｄ８＝１．１００ｍｍ、Ｄ９＝０．１００ｍｍ、Ｄ１０＝０．７１９ｍｍ、Ｄ１１＝０．４００ｍｍ、Ｄ１２＝０．６５０ｍｍ、Ｄ１３＝可変、Ｄ１４＝１．６５０ｍｍ、Ｄ１５＝可変、Ｄ１６＝０．８００ｍｍ、Ｄ１７＝０．６５０ｍｍ
＜屈折率（Ｎｄ）＞
Ｎ１＝１．５８３８５０、Ｎ２＝１．８０４６９９、Ｎ３＝１．９２２８６０、Ｎ４＝１．６６５４８３、Ｎ５＝１．９２２８６０、Ｎ６＝１．５８３８５０、Ｎ７＝１．５２５１２０、Ｎ８＝１．５１６８００
＜アッベ数（νｄ）＞
ν１＝３０．２８、ν２＝４０．９６、ν３＝１８．９０、ν４＝５５．１３、ν５＝１８．９０、ν６＝３０．２８、ν７＝５６．２９、ν８＝６４．２０
【００３９】
＜ズーム間隔（Ｄ２，Ｄ６，Ｄ１３，Ｄ１５）＞
Ｄ２ｗ＝０．５５０ｍｍ（広角端）〜Ｄ２ｍ＝１．４７０ｍｍ（中間）〜Ｄ２ｔ＝０．５５０ｍｍ（望遠端）
Ｄ６ｗ＝５．９８０ｍｍ（広角端）〜Ｄ６ｍ＝２．６３９ｍｍ（中間）〜Ｄ６ｔ＝０．６００ｍｍ（望遠端）
Ｄ１３ｗ＝２．１００ｍｍ（広角端）〜Ｄ１３ｍ＝５．００６ｍｍ（中間）〜Ｄ１３ｔ＝７．８９０ｍｍ（望遠端）
Ｄ１５ｗ＝１．２３０ｍｍ（広角端）〜Ｄ１５ｍ＝０．７４５ｍｍ（中間）〜Ｄ１５ｔ＝０．８２０ｍｍ（望遠端）
【００４０】
＜非球面係数の数値データ＞
＜Ｓ３面＞
ε＝１．００００００００、Ｄ＝−０．１８８３６７３５×１０−３、Ｅ＝０．３４４４６３１２×１０−４、Ｆ＝−０．２２５７９９０５×１０−５、Ｇ＝−０．７０６２８６４７×１０−８
＜Ｓ４面＞
ε＝１．００００００００、Ｄ＝０．１１８８４３５４×１０−３、Ｅ＝０．１２６９４７３１×１０−４、Ｆ＝０．１３９３０５３０×１０−５、Ｇ＝−０．２３７６４３００×１０−６
＜Ｓ８面＞
ε＝１．００００００００、Ｄ＝−０．１７３６５５３７×１０−２、Ｅ＝０．１３１１６４４１×１０−３、Ｆ＝−０．１１７３９２７７×１０−３、Ｇ＝０．００００００００
＜Ｓ９面＞
ε＝１．００００００００、Ｄ＝０．１１３７６７５２×１０−１、Ｅ＝−０．１７４７８０３３×１０−２、Ｆ＝０．６６８８７２３８×１０−４、Ｇ＝０．００００００００
＜Ｓ１２面＞
ε＝７．６７４９４５００、Ｄ＝０．１３５１５４０７×１０−１、Ｅ＝−０．１０８４０３３６×１０−１、Ｆ＝０．００００００００、Ｇ＝０．００００００００
＜Ｓ１３面＞
ε＝１．７４３１４６７０、Ｄ＝−０．３００９０６２３×１０−２、Ｅ＝−０．９６２９０８８８×１０−３、Ｆ＝−０．１９７８４０１０×１０−３、Ｇ＝０．００００００００
＜Ｓ１５面＞
ε＝１．００００００００、Ｄ＝０．３５７８９９３７×１０−２、Ｅ＝０．７８５９９６２３×１０−４、Ｆ＝−０．２１４０１３９１×１０−４、Ｇ＝０．１８９０３４６２×１０−５
【００４１】
この実施例１における広角端、中間位置、望遠端でのそれぞれの球面収差、非点収差、歪曲収差（ディストーション）、倍率色収差に関する収差線図は図３、図４、図５に示すような結果となる。尚、図３、図４、図５において、Ｓはサジタル平面での収差、Ｍはメリジオナル平面での収差を示す。波長については、ｇ線（０．４３６μｍ）、ｄ線（０．５８８μｍ）、Ｃ線（０．６５６μｍ）を使用した。
この実施例１によるレンズ仕様によれば、変倍比が２．５１、広角端でのＦ値が３．０２程度と明るく、携帯電話機、携帯情報端末機、携帯型パーソナルコンピュータに適した小型で光学性能の高いズームレンズが得られる。
【実施例２】
【００４２】
実施例２における条件式（１）〜（９）の数値データ、プリズム１〜第７レンズ７、ガラスフィルタ８の主な仕様諸元、種々の数値データ（設定値）は以下の通りである。
＜条件式の値＞
（１）│ｆ１Ｇ│／ｆｗ＝４７．３４／５．０６＝９．３６
（２）Ｄｗ２−３／Ｄｗ３−４＝５．６４／２．１５５＝２．６２
（３）Ｄｔ２−３／Ｄｔ３−４＝０．６０／７．６１＝０．０７９
（４）│ｆ２Ｇ│／ｆｗ＝１４．９４／５．０６＝２．９５
（５）│ｆ３Ｇ│／ｆｗ＝５．７９／５．０６＝１．１４
（６）│ｆ４Ｇ│／ｆｗ＝８．７２／５．０６＝１．７２
（７）Ｄｗ／ｆｗ＝２５．０／５．０６＝４．９４
（８）ν２−ν３＝４０．９６−１８．９０＝２２．０６
（９）ν４−ν５＝５７．４４−１８．９０＝３８．５４
【００４３】
＜仕様諸元＞
物体距離＝∞（広角端）〜∞（中間）〜∞（望遠端）、レンズ系の焦点距離（ｆｗ，ｆｍ，ｆｔ）＝５．０６ｍｍ（広角端）〜８．９２ｍｍ（中間）〜１２．２７ｍｍ（望遠端）、変倍比＝２．４２、ＦＮｏ．＝３．１１（広角端）〜４．５０（中間）〜５．４３（望遠端）、画角（２ω）＝６１．９°（広角端）〜３５．７°（中間）〜２６．５°（望遠端）、射出瞳位置＝−１２．４１ｍｍ（広角端）〜−１１８．５３ｍｍ（中間）〜５９．２８ｍｍ（望遠端）、レンズ全長＝２２．６０ｍｍ（広角端）〜２３．３０ｍｍ（中間）〜２３．０１ｍｍ（望遠端）、レンズ系全長（空気換算距離）＝２５．００ｍｍ、バックフォーカス（空気換算距離）＝２．４０ｍｍ（広角端）〜１．７０ｍｍ（中間）〜１．９９ｍｍ（望遠端）
【００４４】
＜非球面＞
第２レンズ２の両面Ｓ３，Ｓ４、第４レンズ４の両面Ｓ８，Ｓ９、第６レンズ６の両面Ｓ１２，Ｓ１３、第７レンズ７の面Ｓ１５
＜曲率半径＞
Ｒ１＝−２７．８５２ｍｍ、Ｒ２＝∞、Ｒ３＝−３２．４９９ｍｍ（非球面）、Ｒ４＝９．６５５ｍｍ（非球面）、Ｒ５＝７．５１４ｍｍ、Ｒ６＝１１．０３８ｍｍ、Ｒ７＝∞（開口絞り）、Ｒ８＝２．６２１ｍｍ（非球面）、Ｒ９＝−７．７７７ｍｍ（非球面）、Ｒ１０＝３．１７７ｍｍ、Ｒ１１＝２．０００ｍｍ、Ｒ１２＝６．８０４ｍｍ（非球面）、Ｒ１３＝２．３３１ｍｍ（非球面）、Ｒ１４＝−１７．５０６ｍｍ、Ｒ１５＝−３．７４８ｍｍ（非球面）、Ｒ１６＝∞、Ｒ１７＝∞
＜光軸上の間隔＞
Ｄ１＝７．７００ｍｍ、Ｄ２＝可変、Ｄ３＝０．６５０ｍｍ、Ｄ４＝０．３５０ｍｍ、Ｄ５＝１．０００ｍｍ、Ｄ６＝可変、Ｄ７＝０．０００ｍｍ、Ｄ８＝１．１００ｍｍ、Ｄ９＝０．１００ｍｍ、Ｄ１０＝０．６００ｍｍ、Ｄ１１＝０．４００ｍｍ、Ｄ１２＝０．６５０ｍｍ、Ｄ１３＝可変、Ｄ１４＝１．６５０ｍｍ、Ｄ１５＝可変、Ｄ１６＝０．８００ｍｍ、Ｄ１７＝０．６５０ｍｍ
＜屈折率（Ｎｄ）＞
Ｎ１＝１．５８３８５０、Ｎ２＝１．８０４６９９、Ｎ３＝１．９２２８６０、Ｎ４＝１．６０６０２２、Ｎ５＝１．９２２８６０、Ｎ６＝１．５８３８５０、Ｎ７＝１．５２５１２０、Ｎ８＝１．５１６８００
＜アッベ数（νｄ）＞
ν１＝３０．２８、ν２＝４０．９６、ν３＝１８．９０、ν４＝５７．４４、ν５＝１８．９０、ν６＝３０．２８、ν７＝５６．２９、ν８＝６４．２０
【００４５】
＜ズーム間隔（Ｄ２，Ｄ６，Ｄ１３，Ｄ１５）＞
Ｄ２ｗ＝０．６００ｍｍ（広角端）〜Ｄ２ｍ＝１．３３０ｍｍ（中間）〜Ｄ２ｔ＝０．６００ｍｍ（望遠端）
Ｄ６ｗ＝５．６４０ｍｍ（広角端）〜Ｄ６ｍ＝２．２２０ｍｍ（中間）〜Ｄ６ｔ＝０．６００ｍｍ（望遠端）
Ｄ１３ｗ＝２．１５５ｍｍ（広角端）〜Ｄ１３ｍ＝５．５５０ｍｍ（中間）〜Ｄ１３ｔ＝７．６１０ｍｍ（望遠端）
Ｄ１５ｗ＝１．２１５ｍｍ（広角端）〜Ｄ１５ｍ＝０．５１０ｍｍ（中間）〜Ｄ１５ｔ＝０．８００ｍｍ（望遠端）
【００４６】
＜非球面係数の数値データ＞
＜Ｓ３面＞
ε＝１．００００００００、Ｄ＝−０．１５５９３４７０×１０−２、Ｅ＝０．２５９５３３６１×１０−３、Ｆ＝−０．１５２６９６１３×１０−４、Ｇ＝０．００００００００
＜Ｓ４面＞
ε＝−５．２６１２７０００、Ｄ＝−０．９８１０４１０７×１０−３、Ｅ＝０．２７２６０２２７×１０−３、Ｆ＝−０．１４１０３２８７×１０−４、Ｇ＝−０．４４０８９４３６×１０−６
＜Ｓ８面＞
ε＝１．００００００００、Ｄ＝−０．３０５００５３３×１０−２、Ｅ＝０．２５６５６５４３×１０−３、Ｆ＝−０．１９８７６９０８×１０−３、Ｇ＝０．００００００００
＜Ｓ９面＞
ε＝１．００００００００、Ｄ＝０．１２０４１１３２×１０−１、Ｅ＝−０．１８６７０７８４×１０−２、Ｆ＝０．７０９８９０３９×１０−４、Ｇ＝０．００００００００
＜Ｓ１２面＞
ε＝４．４０１２０５００、Ｄ＝−０．８９９４０１８５×１０−３、Ｅ＝−０．１２０８３１３７×１０−１、Ｆ＝０．００００００００、Ｇ＝０．００００００００
＜Ｓ１３面＞
ε＝０．８０５５３４００、Ｄ＝−０．７５３５７１９４×１０−２、Ｅ＝−０．９１５１３６３０×１０−２、Ｆ＝０．３０２６８１５２×１０−２、Ｇ＝０．００００００００
＜Ｓ１５面＞
ε＝１．００００００００、Ｄ＝０．３２４４４１８０×１０−２、Ｅ＝０．１３５９３８５５×１０−３、Ｆ＝−０．２８２２３４３６×１０−４、Ｇ＝０．２３０４９１７０×１０−５
【００４７】
この実施例２における広角端、中間位置、望遠端でのそれぞれの球面収差、非点収差、歪曲収差（ディストーション）、倍率色収差に関する収差線図は図６、図７、図８に示すような結果となる。尚、図６、図７、図８において、Ｓはサジタル平面での収差、Ｍはメリジオナル平面での収差を示す。波長については、ｇ線（０．４３６μｍ）、ｄ線（０．５８８μｍ）、Ｃ線（０．６５６μｍ）を使用した。
この実施例２によるレンズ仕様によれば、変倍比が２．４２、広角端でのＦ値が３．１１程度と明るく、携帯電話機、携帯情報端末機、携帯型パーソナルコンピュータに適した小型で光学性能の高いズームレンズが得られる。
【実施例３】
【００４８】
実施例３における条件式（１）〜（９）の数値データ、プリズム１〜第７レンズ７、ガラスフィルタ８の主な仕様諸元、種々の数値データ（設定値）は以下の通りである。
＜条件式の値＞
（１）│ｆ１Ｇ│／ｆｗ＝３０．８３／５．０４＝６．１２
（２）Ｄｗ２−３／Ｄｗ３−４＝５．６８／１．８４＝３．０９
（３）Ｄｔ２−３／Ｄｔ３−４＝０．６０／７．６５５＝０．０７８
（４）│ｆ２Ｇ│／ｆｗ＝２０．９１／５．０４＝４．１５
（５）│ｆ３Ｇ│／ｆｗ＝６．０３／５．０４＝１．２０
（６）│ｆ４Ｇ│／ｆｗ＝８．８９／５．０４＝１．７６
（７）Ｄｗ／ｆｗ＝２４．６７／５．０４＝４．８９
（８）ν２−ν３＝４０．９６−１８．９０＝２２．０６
（９）ν４−ν５＝５９．１１−２３．７８＝３５．３３
【００４９】
＜仕様諸元＞
物体距離＝∞（広角端）〜∞（中間）〜∞（望遠端）、レンズ系の焦点距離（ｆｗ，ｆｍ，ｆｔ）＝５．０４ｍｍ（広角端）〜９．４１ｍｍ（中間）〜１２．２１ｍｍ（望遠端）、変倍比＝２．４２、ＦＮｏ．＝３．０５（広角端）〜４．５４（中間）〜５．３７（望遠端）、画角（２ω）＝６２．３°（広角端）〜３２．７°（中間）〜２５．８°（望遠端）、射出瞳位置＝−１０．９０ｍｍ（広角端）〜−１０７．５６ｍｍ（中間）〜７１．２３ｍｍ（望遠端）、レンズ全長＝２１．８４ｍｍ（広角端）〜２２．４３ｍｍ（中間）〜２２．５７ｍｍ（望遠端）、レンズ系全長（空気換算距離）＝２４．６７ｍｍ、バックフォーカス（空気換算距離）＝２．８３ｍｍ（広角端）〜２．２４ｍｍ（中間）〜２．１０ｍｍ（望遠端）
【００５０】
＜非球面＞
第２レンズ２の両面Ｓ３，Ｓ４、第４レンズ４の両面Ｓ８，Ｓ９、第６レンズ６の面Ｓ１３、第７レンズ７の面Ｓ１５
＜曲率半径＞
Ｒ１＝−１７．９９８ｍｍ、Ｒ２＝∞、Ｒ３＝−８６２７．８０９ｍｍ（非球面）、Ｒ４＝９．８０３ｍｍ（非球面）、Ｒ５＝５．３０２ｍｍ、Ｒ６＝６．２４７ｍｍ、Ｒ７＝∞（開口絞り）、Ｒ８＝２．６８２ｍｍ（非球面）、Ｒ９＝−５．０９６ｍｍ（非球面）、Ｒ１０＝３．６３８ｍｍ、Ｒ１１＝１．９８２ｍｍ、Ｒ１２＝５．３８１ｍｍ、Ｒ１３＝２．１５１ｍｍ（非球面）、Ｒ１４＝−１４．９６９ｍｍ、Ｒ１５＝−３．６８２ｍｍ（非球面）、Ｒ１６＝∞、Ｒ１７＝∞
＜光軸上の間隔＞
Ｄ１＝７．５００ｍｍ、Ｄ２＝可変、Ｄ３＝０．６５０ｍｍ、Ｄ４＝０．３００ｍｍ、Ｄ５＝１．０００ｍｍ、Ｄ６＝可変、Ｄ７＝０．０００ｍｍ、Ｄ８＝１．０００ｍｍ、Ｄ９＝０．１００ｍｍ、Ｄ１０＝０．６１０ｍｍ、Ｄ１１＝０．４０８ｍｍ、Ｄ１２＝０．６５０ｍｍ、Ｄ１３＝可変、Ｄ１４＝１．６５０ｍｍ、Ｄ１５＝可変、Ｄ１６＝０．８００ｍｍ、Ｄ１７＝０．６５０ｍｍ
＜屈折率（Ｎｄ）＞
Ｎ１＝１．５８３８５０、Ｎ２＝１．８０４６９９、Ｎ３＝１．９２２８６０、Ｎ４＝１．５８３３２５、Ｎ５＝１．８４６６６０、Ｎ６＝１．５８３８５０、Ｎ７＝１．５２５１２０、Ｎ８＝１．５１６８００
＜アッベ数（νｄ）＞
ν１＝３０．２８、ν２＝４０．９６、ν３＝１８．９０、ν４＝５９．１１、ν５＝２３．７８、ν６＝３０．２８、ν７＝５６．２９、ν８＝６４．２０
【００５１】
＜ズーム間隔（Ｄ２，Ｄ６，Ｄ１３，Ｄ１５）＞
Ｄ２ｗ＝０．６００ｍｍ（広角端）〜Ｄ２ｍ＝１．３６０ｍｍ（中間）〜Ｄ２ｔ＝０．６００ｍｍ（望遠端）
Ｄ６ｗ＝５．６８０ｍｍ（広角端）〜Ｄ６ｍ＝１．６２０ｍｍ（中間）〜Ｄ６ｔ＝０．６００ｍｍ（望遠端）
Ｄ１３ｗ＝１．８４０ｍｍ（広角端）〜Ｄ１３ｍ＝５．７３０ｍｍ（中間）〜Ｄ１３ｔ＝７．６５５ｍｍ（望遠端）
Ｄ１５ｗ＝１．６５０ｍｍ（広角端）〜Ｄ１５ｍ＝１．０６０ｍｍ（中間）〜Ｄ１５ｔ＝０．９１５ｍｍ（望遠端）
【００５２】
＜非球面係数の数値データ＞
＜Ｓ３面＞
ε＝１．００００００００、Ｄ＝０．３８４６０３２０×１０−３、Ｅ＝０．５２６０４３９２×１０−４、Ｆ＝０．５６４５１１４５×１０−５、Ｇ＝−０．６４３８４９５２×１０−６
＜Ｓ４面＞
ε＝０．４６６５１１００、Ｄ＝０．５３０１４２２１×１０−３、Ｅ＝０．１１４６１５０８×１０−３、Ｆ＝０．８６０４２１３０×１０−５、Ｇ＝−０．１０９５３２０５×１０−５
＜Ｓ８面＞
ε＝１．００００００００、Ｄ＝−０．６１８７８１４８×１０−２、Ｅ＝−０．４８１２８８７３×１０−３、Ｆ＝−０．４４１１７２０４×１０−４、Ｇ＝０．００００００００
＜Ｓ９面＞
ε＝１．００００００００、Ｄ＝０．１３２６２８０４×１０−１、Ｅ＝−０．２２０７４４５３×１０−２、Ｆ＝０．２５０７５５２３×１０−３、Ｇ＝０．００００００００
＜Ｓ１３面＞
ε＝０．８０５５３４００、Ｄ＝−０．１８７３７８５３×１０−１、Ｅ＝０．４５０９３６７０×１０−２、Ｆ＝−０．９６８３４９７４×１０−３、Ｇ＝０．００００００００
＜Ｓ１５面＞
ε＝０．８０５５３４００、Ｄ＝０．４２６８１０２０×１０−２、Ｅ＝０．１６２３８２４５×１０−３、Ｆ＝−０．３５９１０９０４×１０−４、Ｇ＝０．２８３５５９５０×１０−５
【００５３】
この実施例３における広角端、中間位置、望遠端でのそれぞれの球面収差、非点収差、歪曲収差（ディストーション）、倍率色収差に関する収差線図は図９、図１０、図１１に示すような結果となる。尚、図９、図１０、図１１において、Ｓはサジタル平面での収差、Ｍはメリジオナル平面での収差を示す。波長については、ｇ線（０．４３６μｍ）、ｄ線（０．５８８μｍ）、Ｃ線（０．６５６μｍ）を使用した。
この実施例３によるレンズ仕様によれば、変倍比が２．４２、広角端でのＦ値が３．０５程度と明るく、携帯電話機、携帯情報端末機、携帯型パーソナルコンピュータに適した小型で光学性能の高いズームレンズが得られる。
【産業上の利用可能性】
【００５４】
以上述べたように、本発明のズームレンズは、薄型化を達成しつつ、２．５倍程度の変倍比を確保し、Ｆ値が広角端で３．０程度と明るく、諸収差が良好に補正されて高い光学性能を確保できるため、携帯電話機、携帯情報端末機、携帯型パーソナルコンピュータ等のモバイル機器に使用できるのは勿論のこと、その他の用途に用いられるカメラのズームレンズとしても有用である。
【図面の簡単な説明】
【００５５】
【図１】本発明に係るズームレンズの一実施形態を示す概略構成図である。
【図２】図１に示すズームレンズの広角端、中間、望遠端における状態図である。
【図３】実施例１における、広角端での球面収差、非点収差、歪曲収差、倍率色収差を示す収差図である。
【図４】実施例１における、中間位置での球面収差、非点収差、歪曲収差、倍率色収差を示す収差図である。
【図５】実施例１における、望遠端での球面収差、非点収差、歪曲収差、倍率色収差を示す収差図である。
【図６】実施例２における、広角端での球面収差、非点収差、歪曲収差、倍率色収差を示す収差図である。
【図７】実施例２における、中間位置での球面収差、非点収差、歪曲収差、倍率色収差を示す収差図である。
【図８】実施例２における、望遠端での球面収差、非点収差、歪曲収差、倍率色収差を示す収差図である。
【図９】実施例３における、広角端での球面収差、非点収差、歪曲収差、倍率色収差を示す収差図である。
【図１０】実施例３における、中間位置での球面収差、非点収差、歪曲収差、倍率色収差を示す収差図である。
【図１１】実施例３における、望遠端での球面収差、非点収差、歪曲収差、倍率色収差を示す収差図である。
【符号の説明】
【００５６】
Ｉ  第１レンズ群
ＩＩ  第２レンズ群
ＩＩＩ  第３レンズ群
ＩＶ  第４レンズ群
１  プリズム（第１レンズ群）
２  第２レンズ（第２レンズ群）
３  第３レンズ（第２レンズ群）
４  第４レンズ（第３レンズ群）
５  第５レンズ（第３レンズ群）
６  第６レンズ（第３レンズ群）
７  第７レンズ（第４レンズ群）
８  ガラスフィルタ
ＳＤ  開口絞り
Ｐ  像面
ν２  第２レンズのアッベ数
ν３  第３レンズのアッベ数
ν４  第４レンズのアッベ数
ν５  第５レンズのアッベ数
Ｄｗ  レンズ系全長
Ｄｗ２−３  広角端における第２レンズ群と第３レンズ群の光軸上の間隔
Ｄｔ２−３  望遠端における第２レンズ群と第３レンズ群の光軸上の間隔
Ｄｗ３−４  広角端における第３レンズ群と第４レンズ群の光軸上の間隔
Ｄｔ３−４  望遠端における第３レンズ群と第４レンズ群の光軸上の間隔
ｆｗ  広角端におけるレンズ系の焦点距離
ｆ２  第２レンズの焦点距離
ｆ１Ｇ  第１レンズ群の焦点距離
ｆ２Ｇ  第２レンズ群の焦点距離
ｆ３Ｇ  第３レンズ群の焦点距離
ｆ４Ｇ  第４レンズ群の焦点距離
【図１】
2007079326.tif 000003
【図２】
2007079326.tif 000004
【図３】
2007079326.tif 000005
【図４】
2007079326.tif 000006
【図５】
2007079326.tif 000007
【図６】
2007079326.tif 000008
【図７】
2007079326.tif 000009
【図８】
2007079326.tif 000010
【図９】
2007079326.tif 000011
【図１０】
2007079326.tif 000012
【図１１】
2007079326.tif 000013